(57)【要約】【課題】第１コネクタと第２コネクタとの結合作業を容易にする。【解決手段】コネクタ構造１０では、メスコネクタ１２とオスコネクタ２０とが接続される際に、樹脂ネジ３２のピニオン３２Ｃがラック２８によって回転されて、樹脂ネジ３２のメスコネクタ１２への螺合量が増加されることで、ピニオン３２Ｃとメスコネクタ１２との間にオスコネクタ２０の上壁が狭持されて、メスコネクタ１２とオスコネクタ２０とが結合される。このため、メスコネクタ１２とオスコネクタ２０との結合作業を容易にできる。【選択図】図１
2018195391.tif 000002
【特許請求の範囲】
【請求項１】
第１螺合部が設けられる第１コネクタと、
前記第１コネクタと接続される第２コネクタと、
前記第１螺合部に螺合される第１ネジ部が設けられると共に、狭持部が設けられ、前記第１コネクタと前記第２コネクタとの接続によって前記第１螺合部への前記第１ネジ部の螺合量が増加されることで前記第１コネクタと前記狭持部との間に前記第２コネクタが狭持されて前記第１コネクタと前記第２コネクタとが結合されるネジ体と、
を備えるコネクタ構造。
【請求項２】
前記第２コネクタに設けられる第２螺合部と、
前記ネジ体に設けられ、前記第２螺合部に螺合される第２ネジ部と、
を備える請求項１記載のコネクタ構造。
【請求項３】
前記第１ネジ部のピッチが前記第２ネジ部のピッチに比し大きくされる請求項２記載のコネクタ構造。
【請求項４】
前記第１ネジ部の径が前記第２ネジ部の径に比し大きくされる請求項２又は請求項３記載のコネクタ構造。
【発明の詳細な説明】
【技術分野】
【０００１】
本発明は、第１コネクタと第２コネクタとが接続されるコネクタ構造に関する。
【背景技術】
【０００２】
下記特許文献１に記載の接続装置では、コネクタが箱体の嵌合凹部に嵌合されて、コネクタと箱体とが接続されており、コネクタのロックアームが箱体の係止片に係止されて、コネクタの箱体からの離脱が規制されている。
【０００３】
ここで、このような接続装置では、コネクタと箱体とが結合されるのが好ましい。
【先行技術文献】
【特許文献】
【０００４】
【特許文献１】特開平１０−１２３２８号公報
【発明の概要】
【発明が解決しようとする課題】
【０００５】
本発明は、上記事実を考慮し、第１コネクタと第２コネクタとの結合作業を容易にできるコネクタ構造を得ることを目的とする。
【課題を解決するための手段】
【０００６】
本発明の第１態様のコネクタ構造は、第１螺合部が設けられる第１コネクタと、前記第１コネクタと接続される第２コネクタと、前記第１螺合部に螺合される第１ネジ部が設けられると共に、狭持部が設けられ、前記第１コネクタと前記第２コネクタとの接続によって前記第１螺合部への前記第１ネジ部の螺合量が増加されることで前記第１コネクタと前記狭持部との間に前記第２コネクタが狭持されて前記第１コネクタと前記第２コネクタとが結合されるネジ体と、を備える。
【０００７】
本発明の第２態様のコネクタ構造は、本発明の第１態様のコネクタ構造において、前記第２コネクタに設けられる第２螺合部と、前記ネジ体に設けられ、前記第２螺合部に螺合される第２ネジ部と、を備える。
【０００８】
本発明の第３態様のコネクタ構造は、本発明の第２態様のコネクタ構造において、前記第１ネジ部のピッチが前記第２ネジ部のピッチに比し大きくされる。
【０００９】
本発明の第４態様のコネクタ構造は、本発明の第２態様又は第３態様のコネクタ構造において、前記第１ネジ部の径が前記第２ネジ部の径に比し大きくされる。
【発明の効果】
【００１０】
本発明の第１態様のコネクタ構造では、第１コネクタと第２コネクタとが接続されると共に、第１コネクタの第１螺合部にネジ体の第１ネジ部が螺合される。
【００１１】
ここで、第１コネクタと第２コネクタとの接続によって第１螺合部への第１ネジ部の螺合量が増加されることで、第１コネクタとネジ体の狭持部との間に第２コネクタが狭持されて、第１コネクタと第２コネクタとが結合される。このため、第１コネクタと第２コネクタとの結合作業を容易にできる。
【００１２】
本発明の第２態様のコネクタ構造では、第２コネクタの第２螺合部にネジ体の第２ネジ部が螺合される。このため、第２コネクタとネジ体とを効果的に結合でき、第１コネクタと第２コネクタとを効果的に結合できる。
【００１３】
本発明の第３態様のコネクタ構造では、第１ネジ部のピッチが第２ネジ部のピッチに比し大きくされる。このため、第１コネクタと第２コネクタとの接続によって第１コネクタとネジ体の狭持部との間に第２コネクタを効果的に狭持でき、第１コネクタと第２コネクタとを効果的に結合できる。
【００１４】
本発明の第４態様のコネクタ構造では、第１ネジ部の径が第２ネジ部の径に比し大きくされる。このため、第１コネクタとネジ体の狭持部との間に第２コネクタを効果的に狭持でき、第１コネクタと第２コネクタとを効果的に結合できる。
【図面の簡単な説明】
【００１５】
【図１】本発明の実施形態に係るコネクタ構造を示す右方から見た分解図である。
【図２】（Ａ）〜（Ｃ）は、本発明の実施形態に係るコネクタ構造のメスコネクタを示す図であり、（Ａ）は、前方から見た正面図であり、（Ｂ）は、前方から見た断面図であり、（Ｃ）は、上方から見た平面図である。
【図３】（Ａ）及び（Ｂ）は、本発明の実施形態に係るコネクタ構造のオスコネクタを示す図であり、（Ａ）は、前方から見た断面図であり、（Ｂ）は、上方から見た平面図である。
【図４】（Ａ）及び（Ｂ）は、本発明の実施形態に係るコネクタ構造の主要部を示す図であり、（Ａ）は、前方から見た断面図であり、（Ｂ）は、上方から見た平面図である。
【発明を実施するための形態】
【００１６】
図１には、本発明の実施形態に係るコネクタ構造１０が右方から見た分解図にて示されている。なお、図面では、コネクタ構造１０の前方を矢印ＦＲで示し、コネクタ構造１０の右方を矢印ＲＨで示し、コネクタ構造１０の上方を矢印ＵＰで示す。
【００１７】
本実施形態に係るコネクタ構造１０は、車両（例えば自動車）に設置されている。
【００１８】
図１に示す如く、コネクタ構造１０は、第１コネクタとしての樹脂製で略直方体状のメスコネクタ１２（図２の（Ａ）〜（Ｃ）参照）を備えている。
【００１９】
メスコネクタ１２には、矩形状の挿入孔１４が所定数（本実施形態では８個）形成されており、所定数の挿入孔１４は、それぞれ前後方向に延伸されると共に、上下方向及び左右方向に等間隔に並べられている。挿入孔１４は、前側に開放されており、挿入孔１４内には、第１端子としての金属製のメス端子（図示省略）が固定されている。
【００２０】
メスコネクタ１２の下端部には、後側かつ左右方向中央の部分において、規制部としての断面略Ｌ字形板状の規制爪１６が一体形成されており、規制爪１６の基端側部分（後側部分）は、下側に突出されている。規制爪１６の先端側部分（下側部分）は、前側に延出されており、規制爪１６の先端部（前端部）は、上側に突出されている。
【００２１】
メスコネクタ１２の上端部には、前側かつ左右方向中央の部分において、第１螺合部としての円状の第１ネジ孔１８が形成されており、第１ネジ孔１８は、上側に開放されている。第１ネジ孔１８の軸方向は、上下方向に平行にされており、第１ネジ孔１８の周面には、螺旋状の第１雌ネジ１８Ａが同軸上に形成されている。
【００２２】
コネクタ構造１０は、第２コネクタとしての樹脂製で略直方体形箱状のオスコネクタ２０（図３の（Ａ）及び（Ｂ）参照）を備えており、オスコネクタ２０内は、後側に開放されている。オスコネクタ２０内には、後側からメスコネクタ１２が移動（スライド）されて嵌合されており、これにより、メスコネクタ１２とオスコネクタ２０とが接続されている。
【００２３】
オスコネクタ２０内には、第１端子としての金属製で棒状のオス端子２２が所定数（本実施形態では８個）設けられており、所定数のオス端子２２は、それぞれオスコネクタ２０の前壁から後方に延出されると共に、上下方向及び左右方向に等間隔に並べられている。所定数のオス端子２２は、それぞれ後側からメスコネクタ１２の所定数の挿入孔１４に挿入されており、所定数のオス端子２２は、それぞれ所定数の挿入孔１４内のメス端子と電気的に接続されている。
【００２４】
オスコネクタ２０の下壁には、後側かつ左右方向中央の部分において、被規制部としての矩形状の規制孔２４が貫通形成されており、規制孔２４は、左右方向に延伸されている。規制孔２４には、メスコネクタ１２の規制爪１６の弾性変形及び弾性復元によって、規制爪１６の先端部が嵌合されており、これにより、メスコネクタ１２のオスコネクタ２０に対する後側への移動が規制されて、メスコネクタ１２のオスコネクタ２０からの離脱が規制されている（メスコネクタ１２がオスコネクタ２０にロックされている）。
【００２５】
オスコネクタ２０の上壁には、左右方向中央部において、第２螺合部としての第２ネジ孔２６が貫通形成されており、第２ネジ孔２６は、前後方向に延伸されて、後側に開放されると共に、前面が平面視半円状に突出されている。第２ネジ孔２６の周面には、第２雌ネジ２６Ａが形成されており、第２雌ネジ２６Ａは、前面（第２ネジ孔２６の前面）において同軸上の半螺旋状にされると共に、左面及び右面（第２ネジ孔２６の左面及び右面）において前後方向に平行な直線状にされている。また、第２雌ネジ２６Ａのピッチは、メスコネクタ１２の第１雌ネジ１８Ａのピッチに比し小さくされている。
【００２６】
オスコネクタ２０の上面には、第２ネジ孔２６の左側において、回転部としての長尺板状のラック２８が一体形成されており、ラック２８は、前後方向に延伸されると共に、右面にラック歯２８Ａが形成されている。オスコネクタ２０の上面には、第２ネジ孔２６の右側において、配置部としての長尺板状のレール３０が一体形成されており、レール３０は、前後方向に延伸されている。
【００２７】
メスコネクタ１２の第１ネジ孔１８（第１雌ネジ１８Ａ）及びオスコネクタ２０の第２ネジ孔２６（第２雌ネジ２６Ａ）の前端部には、ネジ体としての樹脂製の樹脂ネジ３２（図４の（Ａ）及び（Ｂ）参照）が螺合されており、樹脂ネジ３２の軸方向は、上下方向に平行に配置されている。樹脂ネジ３２の軸部の下部には、第１ネジ部としての螺旋状の第１雄ネジ３２Ａが同軸上に形成されており、第１雄ネジ３２Ａは、第１ネジ孔１８（第１雌ネジ１８Ａ）に螺合されている。樹脂ネジ３２の軸部の上部には、第２ネジ部としての螺旋状の第２雄ネジ３２Ｂが同軸上に形成されており、第２雄ネジ３２Ｂは、第２ネジ孔２６（第２雌ネジ２６Ａ）の前端部に螺合されている。また、第２雄ネジ３２Ｂは、第１雄ネジ３２Ａに対し上側に離間されると共に、ピッチが第１雄ネジ３２Ａのピッチに比し小さくされている。
【００２８】
樹脂ネジ３２の頭部（上端部）は、狭持部としての同軸上のピニオン３２Ｃにされており、ピニオン３２Ｃは、オスコネクタ２０のラック２８とレール３０との間に配置されると共に、ラック２８のラック歯２８Ａに噛合されている。
【００２９】
次に、本実施形態の作用を説明する。
【００３０】
以上の構成のコネクタ構造１０では、メスコネクタ１２がオスコネクタ２０内に後側から移動されて嵌合されることで、メスコネクタ１２とオスコネクタ２０とが接続されて、メスコネクタ１２の挿入孔１４内のメス端子とオスコネクタ２０のオス端子２２とが電気的に接続される。さらに、メスコネクタ１２の規制爪１６の先端部がオスコネクタ２０の規制孔２４に嵌合されて、メスコネクタ１２のオスコネクタ２０からの離脱が規制される。
【００３１】
ところで、メスコネクタ１２とオスコネクタ２０とが接続される前には、樹脂ネジ３２の第１雄ネジ３２Ａがメスコネクタ１２の第１ネジ孔１８（第１雌ネジ１８Ａ）に螺合される。さらに、メスコネクタ１２とオスコネクタ２０とが接続される際には、樹脂ネジ３２の第２雄ネジ３２Ｂがオスコネクタ２０の第２ネジ孔２６に挿通されると共に、樹脂ネジ３２のピニオン３２Ｃがオスコネクタ２０のラック２８とレール３０との間に配置されてラック２８のラック歯２８Ａに噛合される状態で、メスコネクタ１２がオスコネクタ２０内に移動される。このため、ピニオン３２Ｃがラック２８のラック歯２８Ａによって回転されて、樹脂ネジ３２が回転されることで、第１雄ネジ３２Ａの第１ネジ孔１８（第１雌ネジ１８Ａ）への螺合量が増加される。これにより、メスコネクタ１２とオスコネクタ２０とが接続された際には、ピニオン３２Ｃの下面とメスコネクタ１２の上面との間にオスコネクタ２０の上壁が狭持されて、メスコネクタ１２とオスコネクタ２０とが結合（固定）される。したがって、車両の振動によりコネクタ構造１０に振動（特に高振動）が入力された場合でも、メスコネクタ１２のメス端子とオスコネクタ２０のオス端子２２との電気的接続の不良が発生することが抑制される。
【００３２】
ここで、上述の如く、メスコネクタ１２とオスコネクタ２０とが接続される際には、樹脂ネジ３２がラック２８のラック歯２８Ａによって回転されて、第１雄ネジ３２Ａの第１ネジ孔１８（第１雌ネジ１８Ａ）への螺合量が増加されることで、ピニオン３２Ｃとメスコネクタ１２との間にオスコネクタ２０の上壁が狭持されて、メスコネクタ１２とオスコネクタ２０とが結合される。このため、メスコネクタ１２とオスコネクタ２０との接続作業によってメスコネクタ１２とオスコネクタ２０とを結合できるため、メスコネクタ１２とオスコネクタ２０との結合作業を容易にできる。
【００３３】
さらに、メスコネクタ１２とオスコネクタ２０とが接続される際には、樹脂ネジ３２の第２雄ネジ３２Ｂがオスコネクタ２０の第２ネジ孔２６（第２雌ネジ２６Ａ）の左面及び右面に螺合される状態で、樹脂ネジ３２がラック２８のラック歯２８Ａによって回転されて、第２雄ネジ３２Ｂの第２ネジ孔２６（第２雌ネジ２６Ａ）への螺合量が増加される。しかも、メスコネクタ１２とオスコネクタ２０とが接続された際には、第２雄ネジ３２Ｂが第２ネジ孔２６（第２雌ネジ２６Ａ）の前端部に螺合される。このため、オスコネクタ２０と樹脂ネジ３２とを効果的に結合でき、メスコネクタ１２とオスコネクタ２０とを効果的に結合できる。
【００３４】
しかも、メスコネクタ１２の第１雌ネジ１８Ａのピッチがオスコネクタ２０の第２雌ネジ２６Ａのピッチに比し大きくされると共に、樹脂ネジ３２において第１雄ネジ３２Ａのピッチが第２雄ネジ３２Ｂのピッチに比し大きくされている。このため、樹脂ネジ３２の回転による第１雄ネジ３２Ａの第１雌ネジ１８Ａへの螺合量の増加率が樹脂ネジ３２の回転による第２雄ネジ３２Ｂの第２雌ネジ２６Ａへの螺合量の増加率に比し大きくされることで、メスコネクタ１２とオスコネクタ２０とが接続される際には、ピニオン３２Ｃのメスコネクタ１２への接近量がピニオン３２Ｃのオスコネクタ２０への接近量に比し大きくされる。これにより、メスコネクタ１２とオスコネクタ２０とが接続された際には、ピニオン３２Ｃとメスコネクタ１２との間でのオスコネクタ２０上壁の狭持力を向上でき、メスコネクタ１２とオスコネクタ２０とを効果的に結合できる。
【００３５】
また、樹脂ネジ３２が樹脂製にされている。このため、樹脂ネジ３２の耐腐食性を高くできると共に、コネクタ構造１０を低コスト化及び軽量化できる。
【００３６】
なお、本実施形態では、メスコネクタ１２の第１雌ネジ１８Ａの径とオスコネクタ２０の第２雌ネジ２６Ａの径とが同一にされると共に、樹脂ネジ３２において第１雄ネジ３２Ａの径と第２雄ネジ３２Ｂの径と同一にされる。しかしながら、メスコネクタ１２の第１雌ネジ１８Ａの径がオスコネクタ２０の第２雌ネジ２６Ａの径に比し大きくされると共に、樹脂ネジ３２において第１雄ネジ３２Ａの径が第２雄ネジ３２Ｂの径に比し大きくされてもよい。これにより、第１雄ネジ３２Ａの第１雌ネジ１８Ａへの螺合力を第２雄ネジ３２Ｂの第２雌ネジ２６Ａへの螺合力に比し大きくでき、ピニオン３２Ｃとメスコネクタ１２との間でのオスコネクタ２０上壁の狭持力を向上できて、メスコネクタ１２とオスコネクタ２０とを効果的に結合できる。
【００３７】
また、本実施形態では、メスコネクタ１２に第１ネジ孔１８（第１雌ネジ１８Ａ）が設けられると共に、オスコネクタ２０に第２ネジ孔２６（第２雌ネジ２６Ａ）が設けられる。しかしながら、オスコネクタ２０（第１コネクタ）に第１ネジ孔１８（第１雌ネジ１８Ａ）が設けられると共に、メスコネクタ１２（第２コネクタ）に第２ネジ孔２６（第２雌ネジ２６Ａ）が設けられてもよい。
【００３８】
さらに、本実施形態では、第２ネジ孔２６に第２雌ネジ２６Ａが設けられると共に、樹脂ネジ３２に第２雄ネジ３２Ｂが設けられる。しかしながら、第２ネジ孔２６に第２雌ネジ２６Ａが設けられないと共に、樹脂ネジ３２に第２雄ネジ３２Ｂが設けられなくてもよい。
【符号の説明】
【００３９】
１０    コネクタ構造
１２    メスコネクタ（第１コネクタ）
１８    第１ネジ孔（第１螺合部）
２０    オスコネクタ（第２コネクタ）
２６    第２ネジ孔（第２螺合部）
３２    樹脂ネジ（ネジ体）
３２Ａ  第１雄ネジ（第１ネジ部）
３２Ｂ  第２雄ネジ（第２ネジ部）
３２Ｃ  ピニオン（狭持部）
【図１】
2018195391.tif 000003
【図２】
2018195391.tif 000004
【図３】
2018195391.tif 000005
【図４】
2018195391.tif 000006